(57)【要約】      （修正有）【課題】体格に合わせて三箇所以上のツボを同時に押圧することができる擬似指圧具を提供することである。【解決手段】第一基台１０２と第二基台１０４は第一支持体に対し摺動可能に支持され、第三基台１０６は第一基台に対し第二支持体によって第一基台に対し接離可能に支持され、第四基台１０８は第三支持体によって第二基台に対し接離可能に支持されている。第一基台〜第四基台には、上側に向かって指圧体１１８が取り付けられており、同時に三箇所以上のツボを擬似指圧することができる。第一基台と第二基台は第一支持体に対し摺動させることでそれらの間の距離を調整でき、第三基台と第一基台とは第二支持体に対し摺動させることにより、それらの間の距離を調整することができ、第三支持体に対し第二基台と第四基台を摺動させることによりこれらの間の距離も調整でき、各基台に取り付けられた指圧体の距離も調整できる。【選択図】図１
2020069269.tif 000002
【特許請求の範囲】
【請求項１】
基台に指圧体を突設し、当該指圧体に体の一部を押しつけて擬似的に指圧を行うことが出来る擬似指圧具であって、
前記基台は、少なくとも、それぞれ同一方向に向かって取り付けられた指圧体(118)を有する、第一基台(102)、第二基台(104)、第三基台(106)、および第四基台(108)を含み、
前記第一基台(102)と第二基台(104)は第一支持体(112)に隣接して取り付けられ、少なくとも一方が前記第一支持体(112)に対し摺動可能に取り付けられることにより接離可能であり、
前記第一基台(102)と前記第三基台(106)は第二支持体(114)に隣接して取り付けられ、少なくとも一方が前記第二支持体(114)に対し摺動可能に取り付けられることにより接離可能であり、
前記第二基台(104)と前記第四基台(108)は第三支持体(116)に隣接して取り付けられ、少なくとも一方が前記第三支持体(116)に対し摺動可能に取り付けられることにより接離可能である
ことを特徴とする擬似指圧具。
【請求項２】
前記指圧体(118)は、前記第一基台(102)、第二基台(104)、第三基台(106)、および第四基台(108)に対し交換可能構造によって取り付けられている
ことを特徴とする請求項１に記載した擬似指圧具。
【請求項３】
前記第一基台(102)と前記第二基台(104)には、前記指圧体(118)が前記第一支持体(112)の延在方向に対して交差する方向に所定の間隔をおいて２つ配置されている
ことを特徴とする請求項１又は２に記載した擬似指圧具。
【請求項４】
前記第三基台(106)と前記第四基台(108)には、前記指圧体(118)が一つ、前記第一基台(102)、または第二基台(104)に設けられた二つの指圧体(118)の中間に配置されている
ことを特徴とする請求項１〜３の何れかに記載した擬似指圧具。
【請求項５】
前記指圧体(118)は、円柱形状の指圧部装着部(164)と、前記指圧部装着部(164)の先端に固定された少なくとも先端部が丸められた指圧部(162)を含んでいる
ことを特徴とする請求項１乃至４の何れかに記載した擬似指圧具。
【請求項６】
前記第一基台(102)または第二基台(104)に取り付けられた指圧体(118)の軸線(CSL)は、相反する方向に傾斜して配置される
ことを特徴とする請求項１乃至５の何れかに記載した擬似指圧具。
【請求項７】
前記第一基台(102)と前記第三基台(106)に取り付けられた指圧体(118)、および前記第二基台(104)と前記第四基台(108)に取り付けられた指圧体(118)は、先端部が互いに近づく方向に傾斜されている
ことを特徴とする請求項６に記載した擬似指圧具。
【請求項８】
前記指圧体(118)の指圧部装着部(164)の長さが異なる指圧体(118)に交換可能である、
ことを特徴とする請求項５に記載した擬似指圧具。
【請求項９】
前記第一基台(102)、第二基台(104)、第三基台(106)、および第四基台(108)は、上面(102A、104A、106A、108A)が水平面と斜面(102S、104S、106S、108S)によって構成されている
ことを特徴とする請求項１乃至８の何れかに記載した擬似指圧具。
【請求項１０】
前記第一基台(102)、第二基台(104)、第三基台(106)、および第四基台(108)の上面には、所定の深さを有する装着穴(102P、104P、106P、108P)が形成され、
前記指圧体(118)を構成する指圧部装着部(164)が密に挿入可能である
ことを特徴とする請求項５に記載した擬似指圧具。
【請求項１１】
前記装着穴(102P、104P、106P、108P)は、前記斜面に直角に形成されている
ことを特徴とする請求項１０に記載の擬似指圧具。
【発明の詳細な説明】
【技術分野】
【０００１】
本発明は、主に指又は掌を用いて所謂ツボを押圧することにより、人体に備わっている自然治癒力の働きを促進させることにより痛み等の症状を改善する指圧効果を擬似的に生じさせるために用いる擬似指圧具に関する。
詳しくは、複数のツボを同時に刺激することができると共に、体の大きさに合わせて指圧部の位置を調整することができる擬似指圧具に関する。
さらに詳しくは、肩甲骨周りの筋肉をも刺激することが出来る擬似指圧具に関する。
なお、指圧とは、本来的には人体の一部である指又は掌を用いて行う施術であることから、器具を用いて行う指圧的施術を、本明細書においては「擬似指圧」といい、その施術に用いる器具を「擬似指圧具」と称する。また、同一名称に第一、第二等の番号を付しているが、これは説明の便宜のためであり、権利範囲の解釈に際して、これらの番号は何ら影響を与えることはない。
【背景技術】
【０００２】
本来、指圧治療は、施術者の指又は掌を人体に押圧して行う。しかしながら、施術者による指圧治療は高価であり、また、施術場所へ被施術者が赴かねばならないため、本格的な指圧施術を受けることが困難である場合が多い。これを改善するため、指先形状の指圧体を自己の体に押圧する擬似指圧を行うために、各種の擬似指圧装置が提案されている。
この種の第１の従来技術として、１つの支持部材と、突起部を有する１又は２以上の押圧部材とからなり、該押圧部材は移動可能に該１つの支持部材に設けられ、該押圧部材の移動方向は該支持部材により規制されることを特徴とする指圧代用器具が知られている(例えば、特許文献１参照)。
第２の従来技術として、スライド斜面を設けた指圧作用部台の表面に弾力性の細長い指圧作用部を設けた数種類の指圧作用コマから用途に合わせて選択したものを、本体板の表面にスライド斜面の合うレールを設け、その内側と本体板の裏面にそれぞれコマ滑り止めと本体台滑り止めを設けた本体台にセットして使用する指圧器で、体重を利用して、自由に微調整しながら、全身のツボを捉えることができる体重利用全身指圧器が知られている(例えば、特許文献２参照)。
第３の従来技術として、クッション性を有する曲面コルクと、該曲面コルク下部に取り付けられたネジと、ネジを挿入可能な穴を上面中央から内部下方向に設けた円錐台形の軸部から構成されることを特徴とする携帯用の疲れ軽減具が知られている(例えば、特許文献３参照)。
第４の従来技術として、弾性材料からなる球体と、上面に凹部を有する台座とからなり、前記球体を前記台座の凹部に着脱自在に嵌合し球体の一部を台座より突出させることを特徴とするボール指圧器が知られている(例えば、特許文献４参照)。
【先行技術文献】
【特許文献】
【０００３】
【特許文献１】実用新案登録第3056808号（図１〜図５、段落０００７〜００１４）
【特許文献２】特開平7−246227（図１〜図７、段落０００４〜０００５）
【特許文献３】実用新案登録第3151052号（図１〜図３、段落０００８）
【特許文献４】実用新案登録第3197434号（図１〜図３、段落０００８）
【発明の概要】
【発明が解決しようとする課題】
【０００４】
第１の従来技術は、ツボを押す一対の押圧部材が支持部材上をスライド可能に設けられているので、押圧部材の間隔を調整することで、利用者の体格に合わせて適当な指圧のツボを押圧することができる利点がある。しかし、三箇所以上を同時に指圧することができない問題がある。換言すれば、指圧施術に時間を要することとなる問題がある。
第２の従来技術において、複数の指圧作用部が台上にスライド可能に配置されているので、第１の従来技術と同様に体格に合わせて指圧作用部の調整を行うことで利用者の体格に合わせて適当な指圧のツボを押圧することができる利点がある。しかし、第一の従来技術と同様に、指圧施術に時間を要することとなる問題がある。
第３の従来技術においては、指圧を行う曲面コルクの位置は調整できないものの、ネジによって高さ調整可能に構成されており、体格に合わせて指圧部の高さを調整できる利点はあるものの、体の幅方向の調整ができない問題がある。
第４の従来技術においては、弾性体から成る球体によってツボを指圧することができるが、単数の球体によって行うことが想定されているので、第１の従来技術と同様に施術に時間を要する問題がある。
【０００５】
本発明の目的は、体格に合わせて三箇所以上のツボを同時に押圧することができる擬似指圧具を提供することである。
【課題を解決するための手段】
【０００６】
この目的を達成するため、請求項１に係る第１の発明は以下のように構成されている。
基台に指圧体を突設し、当該指圧体に体の一部を押しつけて擬似的に指圧を行うことが出来る擬似指圧具であって、前記基台は、少なくとも、それぞれ同一方向に向かって取り付けられた指圧体を有する、第一基台、第二基台、第三基台、および第四基台を含み、前記第一基台と第二基台は第一支持体に隣接して取り付けられ、少なくとも一方が前記第一支持体に対し摺動可能に取り付けられることにより接離可能であり、前記第一基台と前記第三基台は第二支持体に隣接して取り付けられ、少なくとも一方が前記第二支持体に対し摺動可能に取り付けられることにより接離可能であり、前記第二基台と前記第四基台は第三支持体に隣接して取り付けられ、少なくとも一方が前記第三支持体に対し摺動可能に取り付けられることにより接離可能であることを特徴とする擬似指圧具である。
【０００７】
本発明に係る第２の発明は、以下のように構成されている。
前記指圧体は、前記第一基台、第二基台、第三基台、および第四基台に対し交換可能構造によって取り付けられていることを特徴とする第１の発明の擬似指圧具である。
【０００８】
本発明に係る第３の発明は、以下のように構成されている。
前記第一基台と前記第二基台には、前記指圧体が前記第一支持体の延在方向に対して交差する方向に所定の間隔をおいて２つ配置されていることを特徴とする第１の発明又は第２の発明の擬似指圧具である。
【０００９】
本発明に係る第４の発明は、以下のように構成されている。
前記第三基台と前記第四基台には、前記指圧体が一つ、前記第一基台、または第二基台に設けられた二つの指圧体の中間に配置されていることを特徴とする第１〜第３の発明の擬似指圧具である。
【００１０】
本発明に係る第５の発明は、以下のように構成されている。
前記指圧体は、円柱形状の装着部と、前記装着部の先端に固定された少なくとも先端部が丸められた指圧部を含んでいることを特徴とする第１乃至第４の発明の擬似指圧具である。
【００１１】
本発明に係る第６の発明は、以下のように構成されている。
前記第一基台または第二基台に取り付けられた指圧体の軸線は、相反する方向に傾斜して配置されることを特徴とする第１乃至第５の発明の擬似指圧具である。
【００１２】
本発明に係る第７の発明は、以下のように構成されている。
前記第一基台と前記第三基台に取り付けられた指圧体、および前記第二基台と前記第四基台に取り付けられた指圧体は、先端部が互いに近づく方向に傾斜されていることを特徴とする第６の発明の擬似指圧具である。
【００１３】
本発明に係る第８の発明は、以下のように構成されている。
前記指圧体の装着部の長さが異なる指圧体に交換可能である、ことを特徴とする第５の発明に記載した擬似指圧具である。
【００１４】
本発明に係る第９の発明は、以下のように構成されている。
前記第一基台、第二基台、第三基台、および第四基台は、上面が水平面と斜面によって構成されていることを特徴とする第１乃至第８の発明の擬似指圧具である。
【００１５】
本発明に係る第１０の発明は、以下のように構成されている。
前記第一基台、第二基台、第三基台、および第四基台の上面には、所定の深さを有する装着穴が形成され、前記指圧体を構成する指圧部装着部が密に挿入可能であることを特徴とする第５の発明に記載した擬似指圧具である。
【００１６】
本発明に係る第１１の発明は、以下のように構成されている。
前記装着穴は、前記斜面に直角に形成されていることを特徴とする第１０の発明に記載の擬似指圧具である。
【発明の効果】
【００１７】
第１の発明によれば、第一基台、第二基台、第三基台、および第四基台を含み、それぞれ指圧体が同一方向に向けて取り付けられている。第一基台と第二基台は第一支持体に隣接して取り付けられ、少なくとも一方が前記第一支持体に対し摺動可能に取り付けられることにより接離可能である。更に第一基台と第三基台は隣接配置され、少なくとも一方が第二支持体に摺動可能に取り付けられ、接離可能である。更にまた、第二基台と第四基台は隣接して第三支持体に摺動可能に取り付けられ、接離可能である。換言すれば、第一基台と第二基台は中央部において第一支持体に案内されつつ接離可能であり、第三基台と第四基台はそれぞれ第一基台又は第二基台の外側において、第二支持体又は第三支持体に案内されて接離可能である。したがって、それらに取り付けられている中央寄りの対の指圧体が接離可能であり、更に、中央寄りの指圧体に対し、外方の指圧体が接離可能であり、合計四箇所の指圧体が接離可能である。よって、体格に合わせて三箇所以上のツボを同時に押圧することができるので、本願発明の目的を達成できる。
【００１８】
第２の発明によれば、基本的構成は第１の発明と同一であることから本発明の目的を達成することができる。さらに、本第２の発明においては、指圧体が第一基台、第二基台、第三基台、および第四基台に対し交換可能である。したがって、指圧体の堅さ、高さ、大きさ等利用者の要求に応じて交換することにより対応することができ、適切な擬似指圧効果が得られる利点がある。
【００１９】
第３の発明によれば、基本的構成は第１の発明と同一であることから本発明における目的を達成することができる。さらに、本第３の発明においては、第一基台と第二基台には、指圧体が第一支持体の延在方向に対して交差する方向に所定の間隔をおいて２つ配置されている。換言すれば、第一基台と第二基台にはそれぞれ複数の指圧体が設けられているので、さらに多くのツボを擬似指圧できる利点がある。
【００２０】
第４の発明によれば、基本的構成は第１の発明と同一であることから本発明における目的を達成することができる。さらに、本第４の発明においては、第三基台と第四基台には、指圧体が一つ、第一基台、または第二基台に設けられた二つの指圧体の中間に配置されているので、例えば、第一基台及び第二基台における指圧体よって背骨の両側に位置する「肺愈」と「心愈」を押圧し、第三基台及び第四基台の指圧体によって、左右の「厥陰愈」、又は「天宗」を押圧することができる利点がある。
【００２１】
第５の発明によれば、基本的構成は第１の発明と同一であることから本発明における目的を達成することができる。さらに、本第５の発明において、指圧体は、円柱形状の指圧部装着部と、前記指圧部装着部の先端に固定された少なくとも先端部が丸められた指圧部を含んでいることから、指圧部装着部を第一基台〜第四基台に形成した円形孔に挿入することにより、簡単に着脱可能であり、カバンなどに入れて持ち運ぶ際の容積を減少されせることができ、利便性が高い利点がある。なお、「先端部が丸められた」とは、サッカーボールのように真円に近い形状、ラグビーボールのように歪であるが丸みを帯びている形状、又は半球形等、人体が指圧部に押圧された際、角部によって痛みを感じないように丸みを付けて形成された形状である。
【００２２】
第６の発明によれば、基本的構成は第１の発明と同一であることから本発明における目的を達成することができる。さらに、本第６の発明においては、第一基台または第二基台に取り付けられた指圧体の軸線は、相反する方向に傾斜して配置されることから、指圧体を肩甲骨と体心の間に挿入するように体を移動させることにより、肩甲骨剥がしに似た効果を得ることができる利点がある。
【００２３】
第７の発明によれば、基本的構成は第１の発明と同一であることから、本発明の目的を達成することができる。さらに、本第７の発明は、第一基台と第三基台に取り付けられた指圧体、および第二基台と第四基台に取り付けられた指圧体は、先端部が互いに近づく方向に傾斜されているので、視覚的に２つの指圧体で挟まれる印象を受けることから、心理的に指圧効果を高めることができる利点がある。
【００２４】
第８の発明によれば、基本的構成は第１の発明と同一であることから、本発明の目的を達成することができる。さらに、本第８の発明は、指圧体の指圧部装着部の長さが異なる指圧体に交換可能であることから、指圧部装着部の長さを変更することにより、押圧位置を変えることができることから、体格に合わせて押圧位置の調整をすることができる利点がある。
【００２５】
第９の発明によれば、基本的構成は第１の発明と同一であることから、本発明の目的を達成することができる。さらに、本第９の発明は、第一基台、第二基台、第三基台、および第四基台は、上面が水平面と傾斜面によって構成されていることから、デザイン的な統一感を感じられ、置物として利用することができる利点がある。
【００２６】
第１０の発明によれば、基本的構成は第１の発明と同一であることから、本発明の目的を達成することができる。さらに、本第１０の発明は、第一基台、第二基台、第三基台、および第四基台の上面には、所定の深さを有する装着穴が形成され、指圧体の指圧部装着部が密に挿入可能であることから、指圧体の指圧部装着部を装着穴に密に挿入、又は抜き出すことにより指圧体を基台に着脱できるので、組み立てが容易である利点がある。
【００２７】
第１１の発明によれば、基本的構成は第１の発明と同一であることから、本発明の目的を達成することができる。さらに、本第１１の発明においては、装着穴が斜面に直角をなすように形成されていることから、製造が容易である利点がある。
【図面の簡単な説明】
【００２８】
【図１】図１は、本発明にかかる実施例１の擬似指圧具の左上方からの斜視図である。
【図２】図２は、本発明にかかる実施例１の擬似指圧具の正面図である。
【図３】図３は、本発明にかかる実施例１の擬似指圧具の背面図である。
【図４】図４は、本発明にかかる実施例１の擬似指圧具の平面図である。
【図５】図５は、本発明にかかる実施例１の擬似指圧具の底面図である。
【図６】図６は、本発明にかかる実施例１の擬似指圧具の左側面図である。
【図７】図７は、本発明にかかる実施例１の擬似指圧具の第一基台であり、(Ａ)は（Ｄ）におけるＥ―Ｅ線断面図、（Ｂ）は平面図、（Ｃ）は底面図、（Ｄ）は左側面図、(Ｅ)は右側面図、(Ｆ)は背面図である。
【図８】図８は、本発明にかかる実施例１の擬似指圧具の第一基台であり、(Ａ)は正面図、（Ｂ）は平面図、（Ｃ）は底面図、（Ｄ）は左側面図、(Ｅ)は右側面図、(Ｆ)はＤ―Ｄ線断面図である。
【図９】図９は、本発明にかかる実施例１の擬似指圧具の右側面図である。
【図１０】図１０は、本発明にかかる実施例１の擬似指圧具を拡張した状態の正面図である。
【図１１】図１１は、本発明にかかる実施例１の擬似指圧具を拡張した状態の平面図である。
【図１２】図１２は、図１１におけるＡ―Ａ線断面図である。
【図１３】図１３は、図１１におけるＢ―Ｂ線断面図である。
【図１４】図１４は、図９におけるＣ―Ｃ線断面図である。
【図１５】図１５は、本発明にかかる実施例１の擬似指圧具の使用説明図である。
【図１６】図１６は、本発明にかかる実施例１の擬似指圧具の使用例の説明図である。
【図１７】図１7は、本発明にかかる実施例２の擬似指圧具であり、（Ａ）は第一角度装置、（Ｂ）は第二角度装置、（Ｃ）は第三角度装置である。
【図１８】図１８は、本発明にかかる実施例３の擬似指圧具であり、（Ａ）は第五指圧部の拡大図、（Ｂ）は第５指圧体の拡大図である。
【発明を実施するための形態】
【００２９】
本発明の擬似指圧具の最良の形態は、基台に指圧体を突設し、当該指圧体に体の一部を押しつけて擬似的に指圧を行うことが出来る擬似指圧具であって、前記基台は、少なくとも、それぞれ同一方向に向かって取り付けられた指圧体を有する、第一基台、第二基台、第三基台、および第四基台を含み、前記第一基台と第二基台は第一支持体に摺動可能に隣接して取り付けられることにより接離可能であり、前記第一基台と前記第三基台は第二支持体に摺動可能に隣接して取り付けられることにより接離可能であり、前記第二基台と前記第四基台は第三支持体に摺動可能に隣接して取り付けられることにより接離可能であり、前記指圧体は先端部が丸められた形状であり、円柱状の装着体の先端に固定され、前記装着体の下端部は、前記第一基台〜第四基台のそれぞれの上面の斜面に対して直角に穿孔された装着穴に密に挿入されて着脱可能に取付られ、前記第一基台と前記第二基台には、前記指圧体が前記第一支持体の延在方向に対して交差する方向に所定の間隔をおいて一対配置され、前記第三基台と前記第四基台には、前記指圧体が一つであって、前記第一基台、または第二基台に設けられた二つの指圧体の中間に配置され、前記第一基台または第二基台に取り付けられた指圧体の軸線は、相反する方向に傾斜して配置され、前記第一基台と前記第三基台に取り付けられた指圧体、および前記第二基台と前記第四基台に取り付けられた指圧体は、先端部が互いに近づく方向に傾斜されていることを特徴とする擬似指圧具である。
【実施例１】
【００３０】
図１〜図16を参照して実施例１に係る擬似指圧具100を説明する。
実施例１の擬似指圧具100は、同時に三箇所以上において人体の一部を押圧し、擬似的に指圧を行う機能を有する。本実施例1において擬似指圧具100は、少なくとも、第一基台102、第二基台104、第三基台106、第四基台108、第一支持体112、第二支持体114、第三支持体116、指圧体118、本実施例1においては第一指圧体1181、第二指圧体1182、第三指圧体1183、第四指圧体1184、第五指圧体1185、及び第六指圧体1186を含んでいる。第一基台102と第一指圧体1181及び第二指圧体1182は第一指圧部122を構成し、第二基台104と第三指圧体1183及び第四指圧体1184は第二指圧部124を構成し、第三基台106と第五指圧体1185は第三指圧部126を構成し、第四基台108と第六指圧体1186は第四指圧部128を構成する。第一基台102、第二基台104、第三基台106、及び第四基台108は、本実施例１おいては、癒やし感を醸し出し、かつ製作性向上のため木製である。しかし、木製以外の金属、樹脂等によって製造することも出来る。
【００３１】
次に第一基台102を説明する。
第一基台102は、複数の指圧体118、本実施例1においては第一指圧体1181と第二指圧体1182が取り付けられると共に、第一基台102と第二基台104との間の間隔を調整可能にされる。本実施例１において第一基台102と第二基台104は、左右対称の形状に形成されている。
第一基台102は正面視した場合、第一基台下辺102SUの両端の二角、及び第一基台上辺102SAの一端の一角が直角の五角形を呈し、第一基台下辺102SUと第一基台上辺102SAは平行であり、第一基台上辺102SAは第一基台下辺102SUの約三分の一の長さである。第一基台右辺102SRと第一基台左辺102SLは第一基台下辺102SUの右端、及び左端に対しそれぞれ垂立され、第一基台右辺102SRは第一基台左辺102SLに対し約２倍の長さである。第一基台上辺102SAは右辺102SRの上端に対し直角をなし、結果として第一基台上辺102SAの一端と第一基台左辺102SLの上端は水平線に対し約30度をなす第一基台斜辺102SSによって接続されることにより、五角形に形成されている。したがって、背面図においては逆の形状になる。具体的には、図３に示すように、第一基台下辺102SUの右端から第一基台左辺102SLが垂立し、同左端から第一基台右辺102SRが垂立され、第一基台右辺102SRの上端に対し水平に第一基台上辺102SAの一端が接続される。第一基台上辺102SAの他端と第一基台左辺102SLの上端が第一基台斜辺102SSによって接続され、五角形に形成される。しかし、第一基台102は、正面視、又は背面視において、五角形以外の平行四辺形、台形、三角形等適宜の形状に形成することができる。
第一基台上辺102SAの端部と第一基台斜辺102SSの端部は、滑らかな弧状に形成されている。図４に示すように、第一基台102は平面視、長方形に形成されるが、第二基台104と反対側の上端角部102CA、及び下端角部102CLは、比較的大きな四分の一円弧状に形成される。この構成によって第一基台102は、図７に示すように、第一基台正面102F及び第一基台背面102Bが外向きの第一基台斜辺102SSを有する五角形に形成され（同図(A)、(C)）、第一基台上面102Aと第一基台下面102Uが、同一側の角部が円弧に形成された長方形に形成され（同図(B)、(F)）、第一基台左面102Lと第一基台右面102Rが長方形に形成され（同図(D)、(E)）、全体としては立方体に形成されている。なお、面と面とは比較的小さな曲率の曲面によって接続されている。本実施例１において、第一基台下面102Uと第一基台正面102F等の側面は角に形成されているが、小さな円弧によって構成することもできる。
第一基台102には、第一支持体112及び第二支持体114を装着するための第一基台第一装着孔134、第一基台第二装着孔136が穿孔されている。また、第一基台斜面102Sには、第一基台指圧体装着穴102Hが穿孔されている。
【００３２】
まず、第一基台第一装着孔134を図13を参照しつつ説明する。
第一基台第一装着孔134は、第一支持体112を摺動可能に支持する機能を有し、本実施例1においては、第一基台第一Ａ装着孔134Aと第一基台第一Ｂ装着孔134Bの一対の装着孔によって構成されているが、これに限らず１つ又は３以上の装着孔によって構成することができる。
第一基台第一Ａ装着孔134Aと第一基台第一Ｂ装着孔134Bは同一構成であるため、第一基台第一Ａ装着孔134Aを代表して説明し、第一基台第一Ｂ装着孔134Bの同一部には134Bに同一のアルファベットを付して説明を省略する。第一基台第一Ａ装着孔134Aは、第一基台102における、長手辺である第一基台右面102Rの上下方向において第一基台下辺102SUから全体の四分の一程度の高さ位置、かつ、第一基台右辺102SRに対する中心線CLに対し所定の距離離れた対称位置に、第一基台下面102Uと平行に形成された断面円形の貫通孔である。第一基台第一Ａ装着孔134Aは、第一基台右面102Rに連なる第一装着孔大径部134ALと、第一基台左面102Lに連なる第一装着孔小径部134ASによって構成されている。第一装着孔大径部134ALと第一装着孔小径部134ASとの第一装着孔段差134ADは、ストッパとしての機能を有する。第一装着孔大径部134ALの第一基台左面102L側の端部には所定の厚さを有する盲栓138たる円盤形盲栓138Cが第一基台左面102Lと面一になるように嵌入固定されている。なお、第一基台第一装着孔134の断面形状は、矩形、多角形、楕円形、Ｈ型、Ｉ型、Ｌ型等であってもよい。矩形等の場合、第一支持体112が一本であっても第一基台102との相対回転を防止することができる。
【００３３】
次に、第一基台第二装着孔136を図12を参照しつつ説明する。
第一基台第二装着孔136は、第二支持体114を摺動可能に支持する機能を有し、本実施例1においては、第一基台第二装着孔136は断面が矩形の1つの装着孔によって構成されているが、これに限らず断面形状を円形、多角形、楕円形等に形成し、数も２以上にすることができる。
第一基台第二装着孔136は、第一基台102における中心線CLを軸線として形成された断面矩形の貫通孔であり、第一基台右面102Rに連なる第二装着孔大径部136BLと、第一基台左面102Lに連なる第一基台第二装着孔小径部136Sによって構成されている。第一基台第二装着孔大径部136BLと第一基台第二装着孔小径部136BSとの第一基台第二装着孔段差136BDは、ストッパとしての機能を有する。第一基台第二装着孔大径部136BLの第一基台第一基台右面102R側の端部に所定の厚さを有する盲栓138たる矩形盲栓138Rが第一基台右面102Rと面一になるように嵌入固定されている。
【００３４】
次に第一基台指圧体装着穴102Hを説明する。
第一基台指圧体装着穴102Hは、指圧体118を第一基台102から容易に脱落しないように保持する機能を有する。第一基台指圧体装着穴102Hは、装着される指圧体118の数に対応して形成されている。本実施例1において、第一基台102には2つの指圧体118が取り付けられるので、第一基台斜面102Sに所定の深さと所定の直径を有し、第一装着穴軸線SL1、及び第二装着穴軸線CSL2が第一基台斜面102Sに対し直角をなす円形の第一基台第一装着穴102H1、及び第一基台第二装着穴102H2が形成されている。したがって、第一基台第一装着穴102H1、及び第一基台第二装着穴102H2はドリルで所定の深さの穴を穿孔することによって形成することができる。換言すれば、第一基台第一装着穴134の延在方向に対し、交差する方向に所定の間隔をおいて第一基台第一装着穴102H1と第一基台第二装着穴102H2の２つが配置されている。さらに換言すれば、第一基台第一装着穴102H1と第一基台第二装着穴102H2は、軸線SLに対し対称位置に形成されている。
【００３５】
次に第二基台104を説明する。
第二基台104は、第一基台102と長辺どうしが向き合った反対向きに配置されている。換言すれば、第二基台104は第一基台102に対し対称に配置されている。よって、第二基台104における第一基台102と同一部には、数字102を104に代えると共に同一のアルファベットを組み合わせて表示し、詳細説明を省略する。
第二基台104には、第一支持体112及び第三支持体116を装着するための第二基台第一装着孔144、第二基台第二装着孔146が穿孔されている。
第二基台第一装着孔142は第一基台第一装着孔134に相対し、第二基台第一Ａ装着孔144A及び第二基台第一Ｂ装着孔144Bが形成されており、それらの構造も第一基台第一Ａ装着孔134A及び第一基台第一Ｂ装着孔134Bと同一構成であるが左右対称に構成されているので、名称中の「第一」を「第二」に、及び数字「134」を「144」に代え、末尾に同一のアルファベットを付することにより説明を省略する。
第二基台第二装着孔146も同様に、第一基台第二装着孔136に相対して第二基台第二装着孔146が同一構造であって、第一基台第二装着孔136に対し左右対称に形成されているので、名称における「第一」を「第二」に代え、数字「136」を「146」に代えると共に末尾に同一のアルファベットを付すことにより、説明を省略する。
【００３６】
次に第三基台106を図８を参照しつつ説明する。
第三基台106は、指圧体118を支持する機能と共に、第一基台102に対し、第二基台104の反対側に配置され、第一基台102との距離を調整する機能を有する。
【００３７】
本実施例１において、第一基台102と第三基台106は、正面視において、大凡左右対称の形状に形成されている。第三基台106は、正面視した場合、第三基台下辺106SUの両端の二角、及び上辺一端の一角が直角の五角形を呈し、第三基台下辺106SUと第三基台上辺106SAは平行であり、第三基台上辺106SAは第三基台下辺106SUの約三分の一の長さである。第三基台右辺106SRと第三基台左辺106SLは第三基台下辺106SUの左端、又は右端に対し垂立され、第三基台右辺106SRは第三基台左辺102SLに対し約2分の1の長さである。第三基台上辺106SAは第三基台右辺106SRの上端に対し直角をなし、結果として第三基台上辺106SAの一端と第三基台左辺106SLの上端は水平線に対し約30度をなす第三基台斜辺106SSによって接続されることにより、五角形に形成される。したがって、背面図においては逆の形状になる。具体的には、図３に示すように、第三基台下辺106SUの右端から第三基台左辺106SLが垂立し、同左端から第三基台右辺106SRが垂立され、第三基台右辺106SRの上端に対し水平に第三基台上辺106SAの一端が接続される。第三基台上辺106SAの他端と第三基台左辺106SLの上端が第三基台斜辺106SSによって接続され、五角形に形成される。なお、第三基台106も、正面視、又は背面視において、台形以外の形状に形成することができる。第三基台上辺106SAの端部と第三基台斜辺106SSの端部は、滑らかな弧状に形成される。
第三基台106は平面視、大凡長方形に形成されるが、第一基台102と反対側の第三基台左辺106SLは、半円弧状に形成される。この構成によって、第三基台106は、第三基台正面106Fと第三基台背面106Bが左側内向きの第三基台斜辺106SSを有する五角形に形成され、第三基台上面106Aと第三基台底面106Bが、一辺が半円弧に形成されたアーチ形に形成され、第三基台左面106Lと第三基台右面106Rが長方形に形成され、全体としては立方体に形成されている。なお、面と面とは比較的小さな曲率の曲面によって接続されている。
第三基台106には、第二支持体114を装着するための第三基台装着孔152、及び指圧体118を取り付けるための第三基台指圧体装着穴156が穿孔されている。
【００３８】
次に第三基台装着孔152を図12を参照しつつ説明する。
第三基台装着孔152は、第二支持体114の他端部を摺動可能に内蔵する機能を有し、本実施例1において、第三基台装着孔152は、第一基台102における中心線CLを軸線として形成された断面矩形の貫通孔であり、第三基台右面106Rに連なる第三基台装着孔小寸部152Sと、第三基台左面106Lに連なる第三基台装着孔大寸部152Lによって構成されている。第三基台装着孔大寸部152Lと第三基台装着孔小寸部152Sとの第三基台装着孔段部152Dは、ストッパとしての機能を有する。第三基台装着孔大寸部152Lの第四基台左面108L側の端部に所定の厚さを有する盲栓138たる矩形盲栓138Rが第三基台左面106Lと面一になるように嵌入固定されている。第三基台装着穴152の断面形状は、第一基台第一装着孔134と同様に、各種形状を採用することができる。
【００３９】
次に第三基台指圧体装着穴106Hを説明する。
第三基台指圧体装着穴106Hは、中心線CL上であって、第三基台斜面106Sに対し直角をなす第三基台軸線SL3を軸線とし、所定の深さと直径を有する円形穴である。しかしながら、第三基台指圧体装着穴106Hの形状は、円形に限らず、他の形状を採用することができる。第三基台指圧体装着穴106Hに、指圧体118たる第五指圧体1185の下端部が密に嵌入される。
【００４０】
次に第四基台108を説明する。
第四基台108は第三基台106と同一構造であるが、第二基台104に対する第一基台102の反対側に対称的に配置されている。各部の構成は、第三基台106と同一であるので、同一機能部に数字「106」を「108」に代え、同一のアルファベットを付すことにより説明を省略する。
【００４１】
次に第四基台装着孔154を説明する。
第四基台装着孔154は、第三基台装着孔152に相対して形成され、中心線を挟んで対称に構成されている以外同一構成である。よって、説明の弁のため、同一機能部に数字「152」を「154」に代え、同一のアルファベットを付すことにより、説明を省略する。
【００４２】
次に第一支持体112を主に図13を参照して説明する。
第一支持体112は、第一基台102と第二基台104とを一体化すると共に、それらの一体化状態を維持したままそれらの間の距離を適宜調整可能にする機能を有する。換言すれば、第一基台第一装着孔134に一端部が、第二基台第一装着孔144に他端部が摺動可能に嵌まり合わされることにより、第一基台102と第二基台104とを一体化すると共に、それらの一体化状態を維持したままそれらの間の距離を適宜調整可能にする機能を有する。本実施例1において、第一支持体112は、第一Ａ支持体112Aと第一Ｂ支持体112Bの一対の木製丸棒によって構成され、所定の長さを有する丸棒体である。本実施例1においては、第一A支持体112Aと第一B支持体112Bを採用することにより、第一基台102と第一支持体112との相対回転を防止している。しかし、第一支持体112は、十分な強度を有する場合、一本でも可能であり、断面形状も四角形、三角形等の多角形、楕円形等、第一基台第一装着孔134及び第二基台第一装着孔144の形状に嵌まり合わさる断面形状に形成することができ、多角形にした場合には、一本の第一支持体112のみであっても、第一基台102及び第二基台104との相対回動を防止することが出来る利点がある。また、材料も金属、樹脂等にて製造することができるが、第一基台102及び第二基台104他と同一材質にすることが好ましい。第一Ａ支持体112Aと第一Ｂ支持体112Bは同一構成であるので、第一B支持体112Bを代表して説明し、第一A支持体112Aの同一部位には112Aに同一アルファベットを付して説明を省略する。
第一B支持体112Bの一端は第一基台第二装着孔小径部134BSに、他端部は第二基台第一装着孔小径部142BSにそれぞれ密に挿入されるが、摺動可能である。第一A支持体112Aの両端には、第二基台第二装着孔大径部142BLに密に挿入される第一ストッパ円盤112B1S及び第二ストッパ円盤112B2Sがそれぞれ固定されている。したがって、第一ストッパ円盤112B1Sは第一基台第二装着孔段差134BDによって図13において右方へ、第二ストッパ円盤112B2Sは第二基台第二装着孔段差142BDによって図13において左方へ移動することができない。換言すれば、第一基台102と第二基台104は、第一ストッパ円盤112B1Sが第一基台第二装着孔段差134BDによって、及び第二ストッパ円盤112B2Sが第一基台第二装着孔段差142BDによって停止された所定距離以上は離れることが出来ないように構成されている。
【００４３】
次に第二支持体114を主に図12を参照して説明する。
第二支持体114は、第一基台102と第三基台106とを一体化すると共に、それらの一体化状態を維持したままそれらの間の距離を適宜調整可能にする機能を有する。換言すれば、第一基台第二装着孔136に一端部が、第三基台装着孔152に他端部が摺動可能に嵌まり合わされることにより、第一基台102と第三基台106とを一体化すると共に、それらの一体化状態を維持したままそれらの間の距離を適宜調整可能にする機能を有する。本実施例1において、第二支持体114は、木製であって、断面が矩形、かつ所定の長さを有する直状の棒体である。しかし、第一基台第二装着孔136及び第三基台装着孔152に嵌まり合わさる形状に形成される。第二支持体114の一端部は第一基台第二装着孔小径部136Sに摺動可能に密に挿入され、他端部は第三基台装着孔小径部152Sに摺動可能に密に挿入されている。第二支持体114の第一基台第二装着孔小径部136Sには、第一基台第二装着孔大寸部136Lに摺動可能に密に嵌合された四角形の第二支持体第一基部側ストッパ1141Sが固定されている。第二支持体114の第三基台106側端部には、第三基台装着孔大寸部152Lに摺動可能に密に嵌合された四角形の第二支持体第三基部側ストッパ1143Sが固定されている。この構造によって、第一基台102と第三基台106とは、第二支持体第一基部側ストッパ1141Sが第一基台第二装着孔段部136Dに係止され、かつ第二支持体第三基部側ストッパ1143Sが第三基台装着孔段部152Dに係止されるまで離隔されることができる。換言すれば、これら第一基台102に取り付けられる指圧体118(第一指圧体1181及び第二指圧体1182)と第三基台106に取り付けられる指圧体118(第五指圧体1185)との間の距離を調整することができる。
【００４４】
次に第三支持体116を説明する。
第三支持体116は、第二基台104と第四基台108とを一体化すると共に、それらの一体化状態を維持したままそれらの間の距離を適宜調整可能にする機能を有し、基本的構造は第二支持体114と同一である。よって、第二支持体114の数字を116に代えて116とし、その後に続くアルファベットを同一にすることで説明を省略する。この構造によって、第二基台104と第四基台108とは、第三支持体第一基部側ストッパ1161Sが第二基台第二装着孔段部146Dに係止され、かつ第三支持体第四基部側ストッパ1164Sが第三基台装着孔段部154Dに係止されるまで離隔されることができる。換言すれば、これら第二基台104に取り付けられる指圧体118(第三指圧体1183、第四指圧体1184)と第四基台108に取り付けられる指圧体118(第六指圧体1186)との間の距離を調整することができる。
【００４５】
次に指圧体118を説明する。
指圧体118は、人体に接触し、人体の体重によって、所謂ツボを押圧する機能を有する。本実施例1において、第一基台102には第一指圧体1181と第二指圧体1182が取り付けられ、第二基台104には第三指圧体1183と第四指圧体1184が取り付けられ、第三基台106には第五指圧体1185が取り付けられ、第四基台108には第六指圧体1186が取り付けられる。第一指圧体1181〜第六指圧体1186は、それぞれ第一基台102、第二基台104、第三基台106、及び第四基台108から上方の同一方向へ向かうように設けられると共に、同一構成を有しているので、第五指圧体1185を代表して図8を参照しつつ説明する。
第五指圧体1185は、先端部が丸められた指圧部162と、指圧部装着部164により構成されている。「先端部が丸められた」とは、サッカーボールのように真円に近い球形状、ラグビーボールのように歪であるが丸みを帯びている形状、又は半球形等、人体が指圧部に押圧された際、角部によって痛みを感じないように丸みを付けて形成された形状である。指圧部162の大きさは、所謂ツボを押圧して刺激するに適した大きさに形成され、適度の硬度の材料によって構成されている。指圧部162は、例えば硬質ゴム、コルク、ウレタンゴム等によって構成される。指圧部162の底部には指圧部装着部164の先端部を嵌合するための円形の指圧体装着穴162Hが穿孔されている。
【００４６】
次に指圧部装着部164を説明する。
指圧部装着部164は、先端部164Tに指圧部162が取り付けられ、基端部164Rは第三基台指圧体装着穴106Hに挿入される機能を有する。本実施例１において、指圧部装着部164は所定の長さと直径を有する円柱体であり、先端部164Tを指圧部162の指圧体装着穴162Hに密に挿入して着脱可能に、又は挿入と共に接着剤によって接着することにより着脱不可能に取り付けられている。指圧部162が着脱可能な場合、被指圧者の好みに合わせて、適当な大きさ(直径)、及び／又は堅さの指圧部162に交換することが出来る。
基端部164Rは第一基台102〜第四基台108に穿孔された第一基台指圧体装着穴102H〜第四基台指圧体装着穴108Hに密に嵌入され、容易に抜け出さないように構成される。しかし、公知の円柱体の抜け止め機構を設けることもできる。したがって、指圧体118（第一指圧体1181〜第六指圧体1186）は、各指圧体装着穴（102H、104H、106H、108H）に対し着脱することができる。指圧部162も交換可能な場合、指圧部装着部164も被指圧者の好みの長さのものに変更することができる。
第一指圧体1181の指圧部装着部164は第一基台102の第一基台指圧体第一装着穴1021Hに密に挿入され、第二指圧体1182の指圧部装着部164は第一基台指圧体第二装着穴1022Hに密に挿入されて一体化される。
第三指圧体1183の指圧部装着部164は第二基台104の第二基台指圧体第一装着穴1041Hに密に挿入され、第四指圧体1184の指圧部装着部164は第二基台第二指圧体装着穴1042Hに密に挿入されて一体化される。
第五指圧体1185の指圧部装着部164は第三基台106の第三基台指圧体装着穴106Hに密に挿入され一体化される。
第六指圧体1186の指圧部装着部164は第四基台指圧体装着穴108Hに密に挿入されて一体化される。
これらの構成によって、第一指圧体1181〜第六指圧体1186は、各基台の装着穴に密に挿入される共に、引き抜き可能に装着される。換言すれば、第一指圧体1181〜第六指圧体1186と対応する装着穴とで指圧体118の交換が可能な交換可能構造を構成している。
また、第一指圧体1181及び第二指圧体1182と第五指圧体1185、並びに第三指圧体1183及び第四指圧体1184と第六指圧体1186は、先端部が互いに近づく方向に傾斜されている。
さらに、第一指圧体1181及び第二指圧体1182と第三指圧体1183及び第四指圧体1184は、相反する方向に傾斜して配置されている。
さらにまた、第五指圧体1185は、第一指圧体1181と第二指圧体1182との中間に、第六指圧体1186は第三指圧体1183と第四指圧体1184との中間に配置される。
【００４７】
次に本実施例１の擬似指圧具100の使用方法を図14及び図15をも参照しつつ説明する。
実施例１に課有る擬似指圧具100は、使用されない場合、正面視において、第一基台102の第一基台右面102Rと第二基台104の第二基台左面104Lが面接触され、第一基台102の第一基台左面102Lと第三基台106の第三基台右面106Rが面接触され、さらに第二基台104の第二基台右面104Rと第四基台108の第四基台左面108Lが面接触された収納状態とする。換言すれば、第一支持体112、第二支持体114、及び第三支持体116が外見上見えない状態である。収納状態は、擬似指圧具100の体積が最も小さい状態である。
【００４８】
被指圧者Pが擬似指圧を行う場合、例えば、図15に示すように、椅子166の背もたれ166Bと背中PBの間に本発明に係る擬似指圧具100を挟み込んだ後、背もたれ166Bにもたれかかることにより、第一指圧体1181〜第六指圧体1186が背中PBに存するツボを押圧し、指圧効果が得られる。しかし、被指圧者Pの体格はそれぞれ異なり、また、ツボの位置も微妙に異なる。そこで、背骨の両側に位置するツボに適合させるため、第一基台102と第二基台104を第一支持体112に沿わせて移動させ、第一指圧体1181及び第二指圧体1182と、第三指圧体1183及び第四指圧体1184との間の間隔を調整し、それらが背骨BBの両側に存するツボに相対するように調整する。さらに、第三基台106を第二支持体114に沿わせて移動させ、第一基台102と第三基台106の距離を調整し、第一指圧体1181及び第二指圧体1182と第五指圧体1185との距離、及び第四基台108を第三支持体116に沿わせて移動させ、第二基台104と第四基台108の距離を調整し、第三指圧体1183、及び第四指圧体1184と第六指圧体1186の距離を調整する。これによって、背骨BBの両脇に存在するツボ、及びそれらの外側に存在するツボを同時に押圧することができる。換言すれば、本実施例１においては同時に六箇所のツボを押圧することができ、効率的に被指圧者において擬似指圧を行うことができる。例えば、図16に示すように、肺喩、督喩と同時に膏肓又は天宗を擬似指圧することができる。また、風門と同時に肩外兪、又は大杼と同時に肩中兪又は肩井を擬似指圧することができる。更には、気海兪と三焦兪と同時に志室を擬似指圧することができる。また、第三基台106から第五指圧体1185を取り外し、第四基台108から第六指圧体1186を取り外すことにより、背骨BBの両側に存するツボを擬似指圧することができる。また、第一指圧体1181と第二指圧体1182、及び第三指圧体1183と第四指圧体1184は背骨BBに沿った両側において同時に複数箇所を押圧するので、同時に四箇所で背中PBに接触し、背中PBは擬似指圧具100によって擬似的に面で保持されるので、擬似指圧具100の位置が安定する。換言すれば、被指圧者Pは少なくとも４つの指圧体118によって支えられるので、被指圧者Pの姿勢も安定する。よって、一人で擬似指圧を行いやすい利点がある。また、第一指圧体1181と第二指圧体1182の中間の側方に第五指圧体1185が位置し、第三指圧体1183と第四指圧体1184の中間の側方に第六指圧体1186が位置するので、何れかのツボを見つけることにより、その他のツボも見つけやすい利点がある。さらに、本発明に係る擬似指圧具100を床上に設置し、被指圧者Pがその上に背中PBを宛がうように仰向けに寝そべるようにして用いることもできる。
【実施例２】
【００４９】
次に実施例２に係る擬似指圧具100を図17を参照しつつ説明する。
実施例２に係る擬似指圧具100は、第三基台106の第三基台斜面106S、及び第四基台108の第四基台斜面108Sの水平線に対する傾斜角度が実施例１と異なる角度に設定され、他の構成は実施例1と同一の例である。これにより、外観が異なる印象を与え、また、第一指圧体1181及び第二指圧体1182と、第五指圧体1185の距離を変更することができ、更に、実施例１と異なる使用法を行うことができる。第三基台106と第四基台108は本実施例２においても、同一形状であって、所定の線に対して線対称に配置されているので、第三基台106を代表して説明する。
実施例２における第三基台106は、その上面が第三基台斜面106Sのみによって構成されている。当該第三基台斜面106Sに実施例１と同様に、第三基台指圧体装着穴106Hが形成され、第五指圧体1185の指圧部装着部164が密に嵌入されている。図17(A)の例における第五指圧体1185の軸線SL5は、水平線HLに対しα1である。同図(B)における第五指圧体1185の軸線SL5は角度α1よりも小さい角度α2、及び同図(C)における第五指圧体1185の軸線SL5は角度α2よりも小さい角度α3である、第五指圧体1185の傾きが変われば、指圧部162の頂点の位置が第一基台102に対し接近又は離隔することから、第一基台102における第一指圧体1181、及び第二指圧体1182と第五指圧体1185との間の距離調整を行うことが出来る。
【００５０】
また、同図(C)に示すように、第五指圧体1185のように大凡60度以下の比較的急角度で設けられている場合、前述の擬似指圧的使用の他、肩甲骨剥がし的使用法をすることが出来る。すなわち、第五指圧体1185を肋骨と肩甲骨の間に宛がって後、第五指圧体1185が肋骨と肩甲骨の間に進入するように体を横方向にずらすことにより、肩甲骨剥がしを擬似的に行うことが出来る。
【実施例３】
【００５１】
次に実施例３を図18を参照しつつ説明する。
実施例３は、指圧体118の指圧部162の構造が実施例１とは異なる例である。
本実施例３は、第五指圧体1185の例であり、指圧部装着部164の先端部に平板小片164Pが固定され、当該平板小片164Pの上面に、上端が丸められて半球形状に形成された第一小型指圧部1621、第二小型指圧部1622、及び第三小型指圧部1623が並列されている。このように、指圧部162を複数の小型指圧体にすることで、線状の指圧部を直線状に構成することができ、線状の指圧部162で押圧することで、見つけにくいツボを押圧することができる利点がある。
【符号の説明】
【００５２】
102  第一基台
102A、104A、106A、108A  上面
102S、104S、106S、108S  斜面
102H、104H、106H、108H  装着穴
104  第二基台
106  第三基台
108  第四基台
112  第一支持体
114  第二支持体
116  第三支持体
162  指圧部
164  指圧部装着部
SL  軸線
【図１】
2020069269.tif 000003
【図２】
2020069269.tif 000004
【図３】
2020069269.tif 000005
【図４】
2020069269.tif 000006
【図５】
2020069269.tif 000007
【図６】
2020069269.tif 000008
【図７】
2020069269.tif 000009
【図８】
2020069269.tif 000010
【図９】
2020069269.tif 000011
【図１０】
2020069269.tif 000012
【図１１】
2020069269.tif 000013
【図１２】
2020069269.tif 000014
【図１３】
2020069269.tif 000015
【図１４】
2020069269.tif 000016
【図１５】
2020069269.tif 000017
【図１６】
2020069269.tif 000018
【図１７】
2020069269.tif 000019
【図１８】
2020069269.tif 000020